(57)【要約】【課題】坑内用接触防止標識として充分な機能を発揮しながらも、テープ使用量を低減し、更に、作成に係る作業時間を短くすることを可能とする。【解決手段】坑内に配設される坑内用接触防止標識支柱１であって、樹脂製の円筒部材２の側面の一部にストライプテープ３が貼付されており、坑内用接触防止標識として充分な機能を発揮しながらも、テープ使用量を低減し、更に、作成に係る作業時間を短くすることができる。【選択図】図２
2016142060.tif 000002
【特許請求の範囲】
【請求項１】
坑内に配設される坑内用接触防止標識支柱であって、
樹脂製の円筒部材の側面の一部にストライプテープが貼付されていることを特徴とする坑内用接触防止標識支柱。
【請求項２】
前記ストライプテープは、前記円筒部材の側面の一部に、該円筒部材の長手方向に沿って貼付されていることを特徴とする請求項１に記載の坑内用接触防止標識支柱。
【請求項３】
前記ストライプテープは、前記円筒部材の側面の坑道壁面側を除く領域に貼付されていることを特徴とする請求項１又は２に記載の坑内用接触防止標識支柱。
【請求項４】
前記ストライプテープは、前記円筒部材の側面の坑道進退方向側のみに貼付されていることを特徴とする請求項３に記載の坑内用接触防止標識支柱。
【請求項５】
前記ストライプテープは、前記円筒部材の長手方向に垂直の断面において、前記坑道進退方向と直交する坑道進退直交方向の坑内側の位置を中心に、前記坑道壁面側に左右それぞれ３０度から１２０度までの範囲に貼付されていることを特徴とする請求項４に記載の坑内用接触防止標識支柱。
【請求項６】
前記ストライプテープは、前記円筒部材の側面の一部に、該円筒部材の長手方向の中心軸線に垂直な垂直軸線に対して線対称に貼付されていることを特徴とする請求項１又は２に記載の坑内用接触防止標識支柱。
【請求項７】
前記ストライプテープは、前記円筒部材の長手方向に垂直の断面において、該円筒部材と前記垂直軸線とが接する第１の位置及び第２の位置のうちの該第１の位置を中心に、該第２の位置側に左右それぞれ３０度から１２０度までの範囲に貼付されていることを特徴とする請求項６に記載の坑内用接触防止標識支柱。
【請求項８】
前記ストライプテープは、黄色と黒色のストライプ模様を有することを特徴とする請求項１乃至７の何れか１項に記載の坑内用接触防止標識支柱。
【請求項９】
前記円筒部材の外周は、１８０ｍｍであって、前記ストライプテープの幅は、４５ｍｍであることを特徴とする請求項５又は７に記載の坑内用接触防止標識支柱。
【請求項１０】
前記円筒部材は、塩ビ製であることを特徴とする請求項１乃至９の何れか１項に記載の坑内用接触防止標識支柱。
【請求項１１】
前記円筒部材の前記ストライプテープが貼付されていない領域には、前記円筒部材の長手方向に沿って切断された切断部が形成されていることを特徴とする請求項１乃至１０の何れか１項に記載の坑内用接触防止標識支柱。
【発明の詳細な説明】
【技術分野】
【０００１】
本発明は、坑内を通行する作業員や作業車両が坑道壁面や坑内設備等に接触することを防止するための坑内用接触防止標識支柱に関する。詳しくは、坑道内に設置される各種設備や支保用の支柱等で構成される坑内設備に取り付けられて、坑道の進退方向からの視認性を確保し、作業員や作業車両が坑道壁面や坑内設備等に接触することを防止するための坑内用接触防止標識支柱に関する。
【背景技術】
【０００２】
鉱山の操業では、坑道先端部の切羽と呼ばれる部分で鉱石を掘り出し、掘り出した鉱石を地表に搬出し、地表では掘り出された鉱石のうち不要な脈石を除去し、目的鉱物の品位を向上させた鉱石を得ている。
【０００３】
掘り出した鉱石を地表に搬出する際には、例えば、切羽にて運搬用の作業車両に鉱石を積載し、作業車両は地表に続く坑道を移動し、地表に到着すると鉱石貯留場に荷降ろしされる。
【０００４】
坑道は数ｋｍにおよぶ場合があり、途中には、支保用の支柱や、坑内の空調設備や、地下水位より低いレベルで湧出する坑内水の排水設備や、電気設備などの様々な坑内設備が設置され、局部的に坑道が狭くなっている部分があり、作業車両がこのような狭隘部分の壁面に接触して、坑内設備や作業車両が破損したり作業員が怪我したりするという恐れがある。
【０００５】
このため、従来では、図１０に示すように、例えばパイプ等の樹脂製の円筒部材１０２の側面に、黄色と黒色のストライプ模様を有するストライプテープ１０３を円筒部材１０２の側面の曲線に沿ってぐるぐる巻きに貼付して、図１１に示すように、その全側面に黄色と黒色のストライプ模様を配した接触防止標識として用いられる支柱を作成し、この接触防止標識支柱１００を、支保用の支柱などに針金で巻き付ける、各種設備の一部に括り付ける、接触防止標識支柱１００の一部に長手方向に切れ目１０４を入れて支保用の支柱に被せるなどの方法で、坑道壁面や坑内設備等の位置を示すように取り付けて、作業員や作業車両が坑道壁面や坑内設備等に接触することを防止していた。
【０００６】
しかしながら、円筒部材１０２の全側面に、シワや重複部分や隙間がないように曲線的に適切にストライプテープ１０３を巻き付けるためには、製造員の熟練度が必要である。熟練者であればストライプテープ１０３の重複等を最小限に抑えることも可能であるが、経験の浅い製造員だと、ストライプテープ１０３の重複等が多くなってストライプテープ１０３の無駄遣いとなる。更に、図１１に示すように、全側面にストライプテープ１０３が巻き付けられた円筒部材１０２に切れ目１０４を入れる場合には、切断に対する抵抗が大きくなり、怪我をする恐れもあり、その結果、作成に係る作業時間が長くなるという問題点もあった。
【０００７】
例えば、特許文献１には、第１に、足場材に容易に取り付け取り外しを行なうことができ、第２に、足場材を汚したり傷付けたりすることがなく、第３に、再利用が可能で、第４に、衝撃緩衝機能に優れた、安全標示体について記載されている。
【０００８】
しかしながら、特許文献１の安全標示体も、全側面にストライプテープを貼付するものであり、前記の問題点を同様に有している。
【先行技術文献】
【特許文献】
【０００９】
【特許文献１】実用新案登録第３０４５４８３号公報
【発明の概要】
【発明が解決しようとする課題】
【００１０】
本発明は、このような状況を解決するためになされたものであり、坑内用接触防止標識として充分な機能を発揮しながらも、テープ使用量を低減することができ、更に、その作成において製造員の熟練度を必要とせず、作成に係る作業時間を短くすることができる坑内用接触防止標識支柱を提供することを目的とする。
【課題を解決するための手段】
【００１１】
本発明に係る坑内用接触防止標識支柱は、坑内に配設される坑内用接触防止標識支柱であって、樹脂製の円筒部材の側面の一部にストライプテープが貼付されていることを特徴とする。
【００１２】
更に、ストライプテープは、円筒部材の側面の一部に、円筒部材の長手方向に沿って貼付されているようにしてもよい。
【００１３】
更に、ストライプテープは、円筒部材の側面の坑道壁面側を除く領域に貼付されているようにしてもよい。
【００１４】
更に、ストライプテープは、円筒部材の側面の坑道進退方向側のみに貼付されているようにしてもよい。
【００１５】
更に、ストライプテープは、円筒部材の長手方向に垂直の断面において、坑道進退方向と直交する坑道進退直交方向の坑内側の位置を中心に、坑道壁面側に左右それぞれ３０度から１２０度までの範囲に貼付されているようにしてもよい。
【００１６】
更に、ストライプテープは、円筒部材の側面の一部に、円筒部材の長手方向の中心軸線に垂直な垂直軸線に対して線対称に貼付されているようにしてもよい。
【００１７】
更に、ストライプテープは、円筒部材の長手方向に垂直の断面において、円筒部材と垂直軸線とが接する第１の位置及び第２の位置のうちの第１の位置を中心に、第２の位置側に左右それぞれ３０度から１２０度までの範囲に貼付されているようにしてもよい。
【００１８】
更に、ストライプテープは、黄色と黒色のストライプ模様を有するようにしてもよい。
【００１９】
更に、円筒部材の外周は、１８０ｍｍであって、ストライプテープの幅は、４５ｍｍであるようにしてもよい。
【００２０】
更に、円筒部材は、塩ビ製であるようにしてもよい。
【００２１】
更に、円筒部材のストライプテープが貼付されていない領域には、円筒部材の長手方向に沿って切断された切断部が形成されているようにしてもよい。
【発明の効果】
【００２２】
本発明の坑内用接触防止標識支柱は、坑内用接触防止標識として充分な機能を発揮しながらも、テープ使用量を低減することができ、更に、その作成において製造員の熟練度を必要とせず、作成に係る作業時間を短くすることができるので、極めて大きな工業的価値を有する。
【図面の簡単な説明】
【００２３】
【図１】本発明の坑内用接触防止標識支柱を示した横断面図である。
【図２】本発明の坑内用接触防止標識支柱を示した正面図である。
【図３】本発明の坑内用接触防止標識支柱を示した背面図である。
【図４】本発明の坑内用接触防止標識支柱を示した左側面図である。
【図５】本発明の坑内用接触防止標識支柱を示した右側面図である。
【図６】坑内側に切断部を有する坑内用接触防止標識支柱を示した正面図である。
【図７】坑道壁面側に切断部を有する坑内用接触防止標識支柱を示した背面図である。
【図８】本発明の坑内用接触防止標識支柱の製造方法を示した斜視図である。
【図９】坑道壁面側を除く領域にストライプテープが貼付された坑内用接触防止標識支柱を示した横断面図である。
【図１０】従来の接触防止標識支柱の製造方法を示した斜視図である。
【図１１】従来の接触防止標識支柱を示した正面図である。
【発明を実施するための形態】
【００２４】
以下、本発明に係る坑内用接触防止標識支柱について図面を参照して説明する。なお、本発明は以下の例に限定されるものではなく、本発明の要旨を逸脱しない範囲で、任意に変更可能である。
【００２５】
図１に示すように、本発明に係る坑内用接触防止標識支柱１は、例えば、坑道１０内又は坑道壁面１１に設置される空調設備や排水設備や電気設備等の各種設備や支保用の支柱等で構成される坑内設備（不図示）に取り付けられて、坑道１０の坑道進退方向Ｘからの視認性を高め、坑道１０内を通行する作業員や鉱石運搬用の作業車両が坑道壁面１１や坑内設備等と接触することを防止し、坑内設備や作業車両が破損したり作業員が怪我したりすることを防止するためのものである。
【００２６】
具体的に、坑内用接触防止標識支柱１は、図２乃至図５に示すように、塩ビ製の黒色の軟質パイプ等で構成される円筒部材２の側面の一部にストライプテープ３が円筒部材２の長手方向Ｚに沿って長手方向Ｚの一端から他端までの全長に亘って貼付されている。一例としては、円筒部材２の外周が１８０ｍｍ、長手方向Ｚの長さが１５００ｍｍ、厚さ１ｍｍであって、ストライプテープ３の幅が４５ｍｍである。
【００２７】
ストライプテープ３は、例えば、図２乃至図５に示すように、黄色と黒色とが連続的に繰り返された縞模様を有し、反射式接触防止用テープとして機能する、所謂、トラテープ（登録商標）であって、図１に示すように、円筒部材２の側面の一部に、円筒部材２の長手方向Ｚの中心軸線Ｌ１に垂直な垂直軸線Ｌ２に対して線対称に貼付されている。より具体的には、ストライプテープ３は、円筒部材２の長手方向Ｚに垂直の断面において、円筒部材２と垂直軸線Ｌ２とが接する第１の位置Ｐ１及び第２の位置Ｐ２のうちの第１の位置Ｐ１を中心に、第２の位置Ｐ２側に左右それぞれ３０度から１２０度までの範囲に貼付されている。その一方で、円筒部材２の側面には、ストライプテープ３が貼付されていない第１の非テープ領域２ａと、第１の非テープ領域２ａと対向する位置に、第１の非テープ領域２ａと同様に、ストライプテープ３が貼付されていない第２の非テープ領域２ｂとを有している。
【００２８】
そして、このような坑内用接触防止標識支柱１は、図１に示すように、円筒部材２の側面の第１の位置Ｐ１を坑道進退方向Ｘと直交する坑道進退直交方向Ｙの坑道１０内側に向けて、各種設備の支柱や支保用の支柱等に、針金やバインド線やゴムバンド等の固定用部材で巻き付ける、括り付ける等して、坑内設備に取り付けられて、坑道１０内に配設される。すると、ストライプテープ３は、円筒部材２の側面の坑道進退方向Ｘ側にのみ貼付されているものとなる。より具体的には、ストライプテープ３は、円筒部材２の長手方向Ｚに垂直の断面において、坑道進退方向Ｘと直交する坑道進退直交方向Ｙの坑道１０内側の位置Ｐ１を中心に、坑道壁面１１側に左右それぞれ３０度から１２０度までの範囲に貼付されているものとなる。更に、円筒部材２の側面の第１の非テープ領域２ａが坑道進退直交方向Ｙの坑道１０内側に向けて配置され、第２の非テープ領域２ｂが坑道進退直交方向Ｙの坑道壁面１１側に向けて配置される。
【００２９】
なお、坑内用接触防止標識支柱１は、針金等の固定用部材によって、坑内設備に取り付けられることに限定されるものではなく、図６及び図７に示すように、円筒部材２のストライプテープ３が貼付されていない第１の非テープ領域２ａ又は第２の非テープ領域２ｂの何れかに、円筒部材２の長手方向Ｚに沿って切断された切断部４を形成して、この切断部４によって、支保用の支柱や坑内設備の支柱に被せるなどの方法で、坑内設備に取り付けられるようにしてもよい。
【００３０】
以上のような構成を有する坑内用接触防止標識支柱１は、従来の接触防止標識支柱１００が、図１０に示すように、円筒部材１０２の側面の全周にストライプテープ１０３を円筒部材１０２の側面の曲線に沿って巻き付けるように複数回貼付して製造され、シワや重複部分や隙間がないように、ストライプテープ１０３を円筒部材１０２に曲線的に貼付するのに、製造員の熟練度が必要であり、更に、作成に係る作業時間もかかるのに対して、図８に示すように、円筒部材２の側面の一部にストライプテープ３を円筒部材２の長手方向Ｚに沿って直線的に貼付することだけで製造することができる。
【００３１】
以上のように、坑内用接触防止標識支柱１は、円筒部材２の側面の一部に、ストライプテープ３が円筒部材２の長手方向Ｚの中心軸線Ｌ１に垂直な垂直軸線Ｌ２に対して線対称に貼付され、円筒部材２の側面の坑道進退方向Ｘ側のみにストライプテープ３が貼付されている。したがって、坑内用接触防止標識支柱１は、坑道１０の深部（坑道進退方向Ｘの一方）への進行方向においても、坑道１０の地表側（坑道進退方向Ｘの他方）への進行方向においても、作業員や作業車両のオペレーターからは視認性が損なわれることがないので、坑道壁面１１や坑内設備等への接触防止標識としての機能を充分に発揮することができる。
【００３２】
更に、坑内用接触防止標識支柱１は、円筒部材２の側面の一部の前記貼付範囲のみに直線状にストライプテープ３を貼付すればよく、円筒部材２の側面の坑道１０内側及び坑道壁面１１側等の不必要な領域にストライプテープ３を貼付しないので、坑道壁面１１や坑内設備等への接触防止標識としての機能を充分に発揮しながらも、円筒部材の側面の全周に円筒部材の側面の曲線に沿って曲線的にストライプテープを貼付する従来の接触防止標識支柱１００よりも、テープ使用量を低減することができ、更に、作成に係る作業時間を短くすることができ、極めて大きな工業的価値を有する。
【００３３】
更に、坑内用接触防止標識支柱１は、前記貼付範囲の幅と合うように事前にストライプテープ３の幅を選択するか調整しておくことで、貼付範囲の重複部分をゼロとすることができる。したがって、坑内用接触防止標識支柱１は、ストライプテープ３を、円筒部材２の側面の線対称位置にそれぞれ１回、合計２回だけ直線状に貼付すればよく、更に、重複領域や隙間ができることを気にすることなく貼付作業を行うことができるので、貼付作業がより容易となり、製造員の熟練度はより不要となり、作成に係る作業時間をより短くすることができ、更に、テープ使用量をより低減することができる。
【００３４】
また、坑内用接触防止標識支柱１は、ストライプテープ３が、円筒部材２の長手方向Ｚに垂直の断面において、円筒部材２の側面の第１の位置Ｐ１を中心に、第２の位置Ｐ２側に左右それぞれ３０度から１２０度までの範囲に貼付され、坑道進退直交方向Ｙの坑道１０内側の位置Ｐ１を中心に、坑道壁面１１側に左右それぞれ３０度から１２０度までの範囲に貼付されている。したがって、坑内用接触防止標識支柱１は、坑道１０の深部（坑道進退方向Ｘの一方）への進行方向においても、坑道１０の地表側（坑道進退方向Ｘの他方）への進行方向においても、作業員や作業車両のオペレーターからは視認性が損なわれることがないので、坑道壁面１１や坑内設備等への接触防止標識としての機能を充分に発揮することができる。
【００３５】
更に、坑内用接触防止標識支柱１は、円筒部材２の側面の一部の前記貼付範囲のみに直線状にストライプテープ３を貼付すればよく、円筒部材２の側面の坑道１０内側及び坑道壁面１１側等の不必要な領域にストライプテープ３を貼付しないので、坑道壁面１１や坑内設備等への接触防止標識としての機能を充分に発揮しながらも、円筒部材の側面の全周に円筒部材の側面の曲線に沿って曲線的にストライプテープを貼付する従来の接触防止標識支柱１００よりも、テープ使用量を低減することができ、更に、作成に係る作業時間を短くすることができ、極めて大きな工業的価値を有する。
【００３６】
更に、坑内用接触防止標識支柱１は、前記貼付範囲の幅と合うように事前にストライプテープ３の幅を選択するか調整しておくことで、貼付範囲の重複部分をゼロとすることができる。したがって、坑内用接触防止標識支柱１は、ストライプテープ３を、円筒部材２の側面の前記各範囲にそれぞれ１回、合計２回だけ直線状に貼付すればよく、更に、重複領域や隙間ができることを気にすることなく貼付作業を行うことができるので、貼付作業がより容易となり、製造員の熟練度はより不要となり、作成に係る作業時間をより短くすることができ、更に、テープ使用量をより低減することができる。
【００３７】
また、坑内用接触防止標識支柱１は、円筒部材２の側面の一部に、ストライプテープ３が円筒部材２の長手方向Ｚに沿って貼付されている。したがって、坑内用接触防止標識支柱１は、直線状にストライプテープ３を貼付すればよいので、円筒部材の側面の全周に円筒部材の側面の曲線に沿って曲線的にストライプテープを貼付する従来の接触防止標識支柱１００よりも、シワや重複部分や隙間がないように、円筒部材２の側面にストライプテープ３を貼付する貼付作業が容易となり、製造員の熟練度は不要となり、作成に係る作業時間を短くすることができる。
【００３８】
また、坑内用接触防止標識支柱１は、ストライプテープ３が黄色と黒色のストライプ模様を有するので、容易に入手可能であるばかりでなく、安価に製造することができる。
【００３９】
また、坑内用接触防止標識支柱１は、円筒部材２の外周が１８０ｍｍであって、ストライプテープ３の幅が４５ｍｍであるので、円筒部材２の直径は約６０ｍｍとなり、ストライプテープ３が貼付される円筒部材２の側面の前記３０度から１２０度の貼付範囲の円弧の長さは４５ｍｍとなり、坑道壁面１１に設置するサイズとして充分であり、充分視認性を有するものとなる。更に、円筒部材２及びストライプテープ３は、共に、市販品として入手が容易であり、安価に製造することができる。更に、前記貼付範囲の円弧の長さ及びストライプテープ３の幅が共に４５ｍｍとなるので、貼付範囲の幅と合うように事前にストライプテープ３の幅を調整する必要がなく、容易に貼付範囲の重複部分をゼロとすることができ、容易に貼付作業を行うことができる。
【００４０】
また、坑内用接触防止標識支柱１は、円筒部材２が塩ビ製であるので、容易に入手可能であるばかりでなく、安価であり、切断などの加工も容易に行うことができる。
【００４１】
また、坑内用接触防止標識支柱１は、円筒部材２のストライプテープ３が貼付されていない領域２ａ，２ｂに、円筒部材２の長手方向Ｚに沿って切断された切断部４が形成されているので、円筒部材２を切断する場合に、切断に対する抵抗が従来よりも小さくなり、作業時間を短くすることができる。
【００４２】
なお、坑内用接触防止標識支柱１は、円筒部材２が黒色であることに限定されるものではなく、他の色であってもよい。更に、坑内用接触防止標識支柱１は、円筒部材２が塩ビ製であることが好ましいが、他の樹脂製であってもよい。
【００４３】
また、坑内用接触防止標識支柱１は、円筒部材２の外周が１８０ｍｍ、長手方向Ｚの長さが１５００ｍｍ、厚さ１ｍｍであって、ストライプテープ３の幅が４５ｍｍであることに限定されるものではなく、円筒部材２の外周、長手方向Ｚの長さ、厚さ、ストライプテープ３の幅などの長さは、適宜変更可能である。
【００４４】
また、坑内用接触防止標識支柱１は、ストライプテープ３が、円筒部材２の長手方向Ｚに垂直の断面において、円筒部材２の側面の第１の位置Ｐ１を中心に、第２の位置Ｐ２側に左右それぞれ３０度から１２０度までの範囲に貼付されることに限定されるものではなく、円筒部材２の側面の一部に、ストライプテープ３が円筒部材２の垂直軸線Ｌ２に対して線対称に貼付され、円筒部材２の側面の坑道進退方向Ｘ側にストライプテープ３が貼付されるようなものであれば、その他の範囲に貼付されるようにしてもよい。
【００４５】
また、坑内用接触防止標識支柱１は、図９に示すように、ストライプテープ３を、円筒部材２の側面に円筒部材２の垂直軸線Ｌ２に対して線対称に貼付して、円筒部材２の側面の坑道進退方向Ｘ側に貼付することに加え、円筒部材２の側面の坑道１０内側（第１の非テープ領域２ａ）にも貼付するようにして、円筒部材２の側面の坑道壁面１１側を除く領域にストライプテープ３が貼付されるようにしてもよい。より具体的には、ストライプテープ３は、円筒部材２の長手方向Ｚに垂直の断面において、第２の位置Ｐ２を中心に、第１の位置Ｐ１側に左右それぞれ６０度の範囲を除く領域に貼付されるようにする。このような場合であっても、坑内用接触防止標識支柱１は、坑道壁面１１への接触防止標識としての機能を充分に発揮しつつも、円筒部材の側面の全周にストライプテープを貼付する従来の接触防止標識支柱１００よりも、テープ使用量を低減することができ、更に、作成に係る作業時間を短くすることができる。
【００４６】
また、坑内用接触防止標識支柱１は、ストライプテープ３が黄色と黒色のストライプ模様を有することが好ましいが、その他の配色のストライプ模様を有するものであってもよく、３色以上のマルチストライプ模様を有するものであってもよい。
【実施例】
【００４７】
次に、本発明を適用した実施例を説明するが、本発明は下記の実施例に何ら限定されるものではない。
【００４８】
下記の実施例１及び比較例１の坑内用接触防止標識支柱を製造して、その際に、使用するストライプテープの長さと作成に係る作業時間とを測定するとともに、坑道内に設置した際の視認具合を調べた。
【００４９】
共通の条件は次の通りである。
・円筒部材        ：塩ビ製、外周１８０ｍｍ、長さ１５００ｍｍ、厚さ１ｍｍ
・ストライプテープ：ミドリ安全株式会社製、幅４５ｍｍ
：カラー、トラ柄（黄／黒）
ストライプの角度、テープ長手方向に対して４５度
ストライプの幅、黄色黒色ともにテープ長手方向で５０ｍｍ
・製造員          ：作業説明を受けただけの経験が浅い製造員
・製造本数        ：１本
【００５０】
（実施例１）
実施例１では、ストライプテープを、図１に示すように、円筒部材の長手方向に垂直の断面において、円筒部材の第１の位置を中心に、第２の位置側に左右それぞれ３０度から１２０度までの範囲に、図８に示すように、ストライプテープを円筒部材の長手方向に沿って直線的に貼付した。この際、円筒部材の３０度から１２０度までの貼付範囲の円弧の長さは、ストライプテープと同様に、４５ｍｍ［＝外周１８０ｍｍ×（（１２０度−３０度）／３６０度）］であるので、ストライプテープを、円筒部材の側面の２ヶ所に直線状に貼付した。その結果、実施例１では、円筒部材の長さが１５００ｍｍであるので、使用したストライプテープの長さは３０００ｍｍであった。また、実施例１では、円筒部材の側面の坑道進退方向側にストライプテープが貼付されているので、図４に示すように、坑道の入口側からも、図５に示すように、奥側からもはっきりと視認することができた。
【００５１】
（比較例１）
比較例１では、ストライプテープを、図１０及び図１１に示すように、重複領域や隙間ができないように、円筒部材の側面の全周に円筒部材の側面の曲線に沿って巻き付けて貼付した。この際、円筒部材の長さが１５００ｍｍであり、ストライプテープの幅が４５ｍｍであるので、ストライプテープを円筒部材の側面に約３３回［＝長さ１５００ｍｍ／幅４５ｍｍ］巻き付けた。その結果、比較例１では、使用したストライプテープの長さは、６０００ｍｍ［＝外周１８０ｍｍ×（長さ１５００ｍｍ／幅４５ｍｍ）］であった。また、比較例１では、実施例１と同様に、坑道の入口側からも奥側からも視認することができた。しかしながら、比較例１では、標識を設置したとたんに見えなくなる坑道壁面側に貼付したテープが無駄となった。更に、比較例１では、作業員や作業車両のオペレーターが通過する一瞬だけ視認でき、実質的に不要な範囲である坑道内側に貼付したテープも無駄となった。また、比較例１では、作成に係る作業時間が実施例１と比較して１．５倍長かった。
【００５２】
以上から、実施例１によれば、坑内用接触防止標識として充分な機能を発揮しながらも、従来（比較例１）よりも、使用するストライプテープの長さを短くできることが分かった。更に、実施例１によれば、坑内用接触防止標識として充分な機能を発揮しながらも、従来（比較例１）よりも、作成に係る作業時間を短くできることが分かった。
【符号の説明】
【００５３】
１  坑内用接触防止標識支柱、２  円筒部材、２ａ  第１の非テープ領域、２ｂ  第２の非テープ領域、３  ストライプテープ、４  切断部、１０  坑道、１１  坑道壁面、１００  接触防止標識支柱、１０２  円筒部材、１０３  ストライプテープ
【図１】
2016142060.tif 000003
【図２】
2016142060.tif 000004
【図３】
2016142060.tif 000005
【図４】
2016142060.tif 000006
【図５】
2016142060.tif 000007
【図６】
2016142060.tif 000008
【図７】
2016142060.tif 000009
【図８】
2016142060.tif 000010
【図９】
2016142060.tif 000011
【図１０】
2016142060.tif 000012
【図１１】
2016142060.tif 000013